(57)【要約】【課題】ねじのねじ込みにより生じる切り粉の飛散移動を防止することが可能なねじ取付装置を提供する。【解決手段】ねじ挿通孔１１ｅを有する金属製の被取付部材１１と；被取付部材のねじ挿通孔に対向して形成されるねじ取付孔１２ａを有すると共に、ねじ取付孔の周囲に凸状部１２ｂを形成した支持部材１２と；被取付部材のねじ挿通孔および支持部材のねじ取付孔にねじ込まれることにより被取付部材を支持部材の凸状部に載置して固定するねじ１３と；を具備するねじ取付装置１０を構成する。【選択図】        図１
2010244691.tif 000002
【特許請求の範囲】
【請求項１】
ねじ挿通孔を有する金属製の被取付部材と；
被取付部材のねじ挿通孔に対向して形成されるねじ取付孔を有すると共に、ねじ取付孔の周囲に凸状部を形成した支持部材と；
被取付部材のねじ挿通孔および支持部材のねじ取付孔にねじ込まれることにより被取付部材を支持部材の凸状部に載置して固定するねじと；
を具備していることを特徴とするねじ取付装置。
【請求項２】
前記被取付部材は、ねじ挿通孔からねじ取付孔に向かって突出する突出部を有し、この突出部の先端は、前記凸状部の先端よりもねじ取付孔側にあることを特徴とする請求項１記載のねじ取付装置。
【請求項３】
ねじ挿通孔を有しアース線が接続される金属製のアース端子と；
合成樹脂で形成されアース端子のねじ挿通孔に対向して形成されるねじ取付孔を有し、ねじ取付孔の周囲に凸状部を形成した支持台と；
アース端子のねじ挿通孔および端子台のねじ取付孔にねじ込まれるアースねじと；
前記アース端子およびアース端子と隣接して配置される充電部を有する電気部品を収容する端子台本体と；
を具備していることを特徴とする端子台。
【請求項４】
器具本体と；
器具本体に配置される請求項３記載の端子台と；
を具備していることを特徴とする照明器具。
【発明の詳細な説明】
【技術分野】
【０００１】
本発明は、ねじを用いて被取付部材、例えば、端子を端子台に取り付けるためのねじ取付装置、このねじ取付装置を用いた端子台および照明器具に関する。
【背景技術】
【０００２】
従来、例えば照明器具などに使用されている端子台は、端子台内に電源端子と共に照明器具のアースをとるためのアース端子が収容されている。このアース端子は、例えば、特許文献１に示されるように、導電性およびばね性を有する基板部を有し、基板部にアースねじ取付部を一体に折曲形成し、この取付部にアースねじの雄ねじより小径の取付孔を形成し、端子台本体内に収容されている。照明器具のアースをとる場合には、器具本体のシャーシに端子台を支持すると共に、金属からなるシャーシをアースねじ取付部との間で挟むようにしてアースねじを取付孔にねじ込み、アース端子に引き込まれ接続されたアース線と電気的に接続してアース接続を構成している。
【先行技術文献】
【特許文献】
【０００３】
【特許文献１】特開２００７−２２０５４０号公報
【発明の概要】
【発明が解決しようとする課題】
【０００４】
これらアース接続に用いられるアースねじは、特許文献１段落番号［００３２］および［００３７］にも示されているように、一般的にはタッピングねじが使用され、金属からなるアースねじ取付部の取付孔にねじを切りながらねじ込まれる。このため、ねじを切る際に細かい切り粉が発生する。この切り粉は端子台内に飛散移動して端子台内の電源端子等の充電部に付着して電気的な絶縁低下に至る恐れがある。
【０００５】
これは、タッピングねじを使用した場合に生じ易いが、予め雄ねじが形成されたアースねじを、雌ねじが形成された取付孔にねじ込む場合でも、例えば、ねじを傾けて無理にねじ込んだ際には、ねじ山を削ることになり、やはり切り粉が発生する問題が生じる。また、切り粉による悪影響は電気的な絶縁低下の問題のみでなく、例えば、時計などの精密機械においても、切り粉が歯車等の機械的な作動機構に入り込み故障の原因となるなど、各種分野において種々多様な問題発生の原因となっている。
【０００６】
本発明は、上記の問題に鑑みてなされたもので、ねじのねじ込みにより生じる切り粉の飛散移動を防止することが可能なねじ取付装置を提供し、電気絶縁の低下の虞を防止することが可能な端子台および照明器具を提供しようとするものである。
【課題を解決するための手段】
【０００７】
請求項１に記載のねじ取付装置の発明は、ねじ挿通孔を有する金属製の被取付部材と；被取付部材のねじ挿通孔に対向して形成されるねじ取付孔を有すると共に、ねじ取付孔の周囲に凸状部を形成した支持部材と；被取付部材のねじ挿通孔および支持部材のねじ取付孔にねじ込まれることにより被取付部材を支持部材の凸状部に載置して固定するねじと；を具備していることを特徴とする。本発明によれば、ねじ取付孔の周囲に凸状部を形成した支持部材により、ねじのねじ込みにより生じる切り粉の飛散移動を防止することが可能なねじ取付装置が構成される。
【０００８】
本発明において、ねじ取付装置は、端子台や照明器具等の電気機器に適用され、電気的な絶縁低下の防止を図ることが好ましいが、時計等の精密機械など各種の多様な機器に適用することができる。従って、本発明における被取付部材は、適用される機器、例えば、電気機器や精密機械に用いられ、ねじにより支持部材に取り付けられる全ての構成部品が適用される。また、支持部材も、被取付部材をねじによって取り付けるための支持台等、全ての支持構成が適用される。
【０００９】
また、ねじはタッピングねじが好適であるが、予め雄ねじが形成されたねじであってもよい。従って、被取付部材のねじ挿通孔および支持部材のねじ取付孔は、予め雌ねじを有しない孔を形成したもので、タッピングねじによりねじを切りながらねじ込まれるものでも、予め雌ねじを形成した孔で構成し、予め雄ねじが形成されたねじをねじ込むものであってもよい。
【００１０】
金属製の被取付部材は、電気機器の端子に適用される場合には、銅、アルミニウム、ステンレス等、さらには、これら金属の合金等、導電性とばね性を有する板材で構成されることが好ましいが、本発明は電気機器以外にも適用されるものであり、導電性を有することが条件ではなく導電性の低い金属で構成されたものであってもよい。
【００１１】
ねじ取付孔の周囲に形成した凸状部は、ねじ取付孔の周囲全体を覆うように形成することが好ましいが、一部に切り粉の飛散移動を防止できる程度のスリットや小孔を形成したものであってもよく、要は、実質的に切り粉の飛散移動を防止できる構成の凸状部であればよい。また凸状部は、支持部材に一体に形成されたものでも、別体に構成された凸状部を接着やねじ込み等の固着手段で支持部材に一体化して構成されたものであってもよい。
【００１２】
請求項２に記載の発明は、請求項１記載のねじ取付装置において、前記被取付部材は、ねじ挿通孔からねじ取付孔に向かって突出する突出部を有し、この突出部の先端は、前記凸状部の先端よりもねじ取付孔側にあることを特徴とする。
【００１３】
本発明によれば、ねじ挿通孔からねじ取付孔に向かって突出する突出部を有し、この突出部の先端が凸状部の先端よりもねじ取付孔側にあるので、突出部と凸状部とがオーバーラップし、ねじのねじ込みにより生じる切り粉の飛散移動を防止することができる。
【００１４】
請求項３に記載の端子台の発明は、ねじ挿通孔を有しアース線が接続される金属製のアース端子と；合成樹脂で形成されアース端子のねじ挿通孔に対向して形成されるねじ取付孔を有し、ねじ取付孔の周囲に凸状部を形成した支持台と；アース端子のねじ挿通孔および端子台のねじ取付孔にねじ込まれるアースねじと；前記アース端子およびアース端子と隣接して配置される充電部を有する電気部品を収容する端子台本体と；を具備していることを特徴とする。
【００１５】
本発明によれば、ねじ取付孔の周囲に凸状部を形成した支持台により、ねじのねじ込みにより生じる切り粉の飛散移動を防止することが可能なアース端子のねじ取付装置が構成され、電気絶縁低下の虞を防止することが可能な端子台を構成することができる。
【００１６】
合成樹脂からなる支持台および支持台を一体に形成した端子台本体は、白色等のポリブチレンテレフタレート（ＰＢＴ）で構成されることが好ましいが、ナイロン樹脂等、他の合成樹脂で構成されたものであってもよい。アース端子と隣接して配置される充電部を有する電気部品は、例えば、電源端子や送り用の端子等で構成されることが好ましいが、充電部を構成する部品は、それら電源端子等に限定されず、他のいかなる電気部品であってもよい。
【００１７】
請求項４に記載の照明器具の発明は、器具本体と；器具本体に配置される請求項３記載の端子台と；を具備していることを特徴とする。
【発明の効果】
【００１８】
請求項１記載の発明によれば、ねじ取付孔の周囲に凸状部を形成した支持部材により、ねじのねじ込みにより生じる切り粉の飛散移動を防止することが可能なねじ取付装置を提供することができる。
【００１９】
請求項２記載の発明によれば、ねじ挿通孔からねじ取付孔に向かって突出する突出部とねじ取付孔の周囲に凸状部を形成した支持台により、ねじのねじ込みにより生じる切り粉の飛散移動を防止することが可能なねじ取付装置を提供することができる。
【００２０】
請求項３記載の発明によれば、ねじ取付孔の周囲に凸状部を形成した支持台により、ねじのねじ込みにより生じる切り粉の飛散移動を防止することが可能なアース端子のねじ取付装置が構成され、電気絶縁低下の虞を防止することが可能な端子台を提供することができる。
【００２１】
請求項４記載の発明によれば、請求項３記載の端子台を用いたので、電気絶縁低下の虞を防止することが可能な照明器具を提供することができる。
【図面の簡単な説明】
【００２２】
【図１】本発明の第１実施形態のねじ取付装置を示し、（ａ）は図４（ｂ）Ａ−Ａ線に沿う断面図、（ｂ）はアース端子の斜視図。
【図２】同じくねじ取付装置を示し、（ａ）は断面図、（ｂ）は凸状部の高さが低い状態を示す断面図。
【図３】本発明の第１実施形態のねじ取付装置を用いた端子台の斜視図。
【図４】同じく端子台を示し、（ａ）はカバーの底面図、（ｂ）はボディの上面図、（ｃ）は（ｂ）においてアース端子を外した状態を、一部を切り欠いて示す上面図、（ｄ）は切り粉が飛散移動して隣接する電源端子に付着した状態を示す（ｂ）相当図。
【図５】本発明の第１実施形態の端子台を用いた照明器具を、一部を切り欠いて示す斜視図。
【図６】本発明の第１実施形態におけるねじ取付装置の変形例を示す断面図。
【発明を実施するための形態】
【００２３】
以下、本発明に係るねじ取付装置、このねじ取付装置を用いた端子台および照明器具の実施形態について、図面に従い説明する。
【実施例１】
【００２４】
本実施例は、蛍光ランプを光源とした照明器具の端子台に用いられるねじ取付装置を構成するものである。まず、ねじ取付装置の構成について説明する。本実施例のねじ取付装置は、照明器具の端子台に用いられるアース用のアースねじ取付装置１０を構成するもので、図１に示すように、本発明の被取付部材であるアース端子１１、同じく支持部材を構成する支持台１２、アースねじ取付装置を照明器具の被取付部に固定する本発明のねじを構成するアースねじ１３で構成されている。
【００２５】
アース端子１１は、図１（ｂ）に示すように、２連式の速結端子を構成する端子で、導電性を有する金属、本実施例では銅合金からなる厚さ約０．４ｍｍ程度の薄く剛性を有し、折り曲げることによって強いばね性を発揮する平らな板材からなり後述する端子台２０内に縦方向に沿って配置される基板部１１ａを有し、基板部の同じ一面側に３方向からそれぞれ直角に折り曲げられた電線受板１１ｂ、鎖錠板１１ｃおよび取付板１１ｄを備えている。そして電線受板１１ｂと鎖錠板１１ｃとの間に、アース線Ｗ１の芯線が差し込まれ係止されて接続される。
【００２６】
取付板１１ｄは、基板部１１ａの他端部を折り曲げることにより一体に形成され、略正方形をなす板材の中央にアースねじ１３がねじ込まれるねじ挿通孔１１ｅが形成され、一側に固定片１１ｆが一体に折り曲げられて形成されている。ねじ挿通孔１１ｅは、板材からなる取付板１１ｄをバーリング加工することにより下方に突出する突出部としてのねじ代部１１ｅ１を一体に形成する（図２（ａ））。このねじ代を含めたねじ挿通孔１１ｅは、その孔内面に雌ねじを形成しない横断面が略円形の貫通する孔として構成する。また孔の直径は、アースねじ１３の直径寸法より小さい寸法に形成する。
【００２７】
アースねじ１３は、アース端子１１におけるねじ挿通孔１１ｅの直径より若干大きなタッピングねじで構成し、ねじ挿通孔１１ｅにねじを切りながらねじ込まれる。また、アースの導通性がよくなるようにクロメート処理が施されている。
【００２８】
上記により、構成されたアース端子１１およびアースねじ１３は、端子台２０に組み込まれてアース用のアースねじ取付装置１０が構成される。すなわち、端子台２０は、図３、図４に示すように、電線挿通孔を有する端子台本体２１、端子台本体内に配置される上述した１個のアース端子１１と、発明における充電部を有する電気部品としての３個の電源端子１４で構成されている。
【００２９】
端子台本体２１は、それぞれ絶縁性を有する合成樹脂、本実施例では、白色のポリブチレンテレフタレート（ＰＢＴ）製のボディ２２とカバー２３とで箱状に構成され、カバー２３の外面が後述する照明器具３０の器具本体３１への取付面２４として構成されている。ボディ２２はカバー２３側に開口され、カバー２３はボディ２２の開口を覆って被着される。これらボディ２２とカバー２３との間で端子台本体２１の内部には、１個のアース端子１１を収容するアース端子収容部２５が形成されると共に、このアース端子収容部と接近し隣接して電源端子１４を収容する３個の電源端子収容部２６が形成されている。
【００３０】
アース端子収容部２５は、アース端子１１の取付板１１ｄを収容する収容部２５ａが形成され、この収容部にアース端子を固定するための支持台１２を一体に形成する。支持台は、アース端子１１のねじ挿通孔１１ｅに対向してねじ取付孔１２ａを一体に形成し、このねじ取付孔の周囲にリング状をなす凸状部１２ｂを一体に形成する。ねじ取付孔１２ａは、その孔内面に雌ねじを形成しない横断面が略円形で底を有する穴として構成する。この穴の直径は、アースねじ１３の直径寸法より小さい寸法にして形成し、タッピングねじからなるアースねじ１３がねじを切りながらねじ込まれる。
【００３１】
リング状をなす凸状部１２ｂには、上述したアース端子１１の略正方形をなす取付板１１ｄの裏面が載置され、この状態で取付板１１ｄの裏面と凸状部１２ｂの内面で周囲全体を覆うように囲まれた切り粉の収納スペースとなる空間部ｐが形成される。図２（ａ）に示すように、凸状部１２ｂの高さ寸法ａはねじ代１１ｅ１の高さ寸法ｂより大となし（ａ＞ｂ）、空間部ｐの底面とねじ代１１ｅ１の下端との間に隙間ｓが形成されると共に、突出部であるねじ代１１ｅ１と凸状部１２ｂとがオーバーラップする。さらにアース端子１１のねじ挿通孔１１ｅと支持台１２のねじ取付孔１２ａの軸心が一致し、取付板１１ｄのねじ挿通孔１１ｅの下端が空間部ｐと連通される。
【００３２】
図中２５ｂはアース端子１１の電線受板１１ｂおよび鎖錠板１１ｃを収容する収容部である。また、３個の電源端子１４はアース端子収容部２５に接近し隣接して設けられた電源端子収容部２６に収容される。この状態で、図４（ｂ）に示すように、アース端子１１と３個の電源端子１４すなわち充電部が、アース端子１１に近接し隣接してボディ２２内に収容される。
【００３３】
カバー２３の外面である取付面２４には、アース端子１１の略正方形をなす取付板１１ｄおよび固定片１１ｆが嵌合する開口部２３ａを貫通させて形成し、この開口部から取付部１１ｄの表面が若干突出して露出される。これにより、照明器具３０の設置時に取付板１１ｄの表面が器具本体のシャーシ３１ａに接触するように構成される。
【００３４】
また、ボディ２２の一側面には、アース端子１１に対応してアース線Ｗ１の芯線が挿入される１個の電線挿入孔２２ａが形成されていると共に、３個の電源端子１４毎に対応して電源線Ｗ２の芯線が挿入される３個の電線挿入孔２２ｂがそれぞれ形成されている。
【００３５】
また、図３に示すように、ボディ２２の各電線挿入孔が形成された一側面とは反対の他側面には、３個の電源端子１４毎に対応して内部配線が挿入される一対の電線挿入孔２２ｃがそれぞれ形成されている。なお、図中２２ｄはアース端子１１に接続されたアース線Ｗ１を外すための１個の解除ボタン部、２２ｅは電源端子１４に接続された電源線Ｗ２を外すための３個の解除ボタン部である。
【００３６】
上記のようにアース端子１１および電源端子１４を収容したボディ２２にはカバー２３が被され、ボディの側面に形成された複数の爪部２２ｆとカバー２３の側面に形成された複数の孔部２３ｆとの係合によってボディとカバーとが着脱が可能になるように結合される（図３）。
【００３７】
この状態で、カバー２３の取付面２４に形成された開口部２３ａにアース端子１１の取付板１１ｄおよび固定片１１ｆｂが嵌合し、この開口部からアース端子の取付部１１ｄの表面が若干突出して露出されている。
【００３８】
次に、上記に構成されたアース端子１１を有する端子台２０は、照明器具３０に組み込まれる。すなわち、照明器具３０は図５に示すように、天井埋込形で下面が開口されたシャーシである金属製の器具本体３１を備え、この器具本体の長手方向両端に２組のランプソケット３２がそれぞれ対向して取り付けられ、これら長手方向両端の各組のランプソケット間にランプとしての２本の直管形蛍光ランプ３３が接続されている。 器具本体３１の天板部３４の内面には、２本の直管形蛍光ランプ２３間に位置して、上述の端子台２０および図示しない点灯装置が取り付けられているとともに、これらを覆う断面略Ｖ字形の反射板３６が取り付けられている。
【００３９】
上記構成の照明器具３０は、その製造時において端子台２０が器具本体３１に取り付けられる。このとき、アース端子１１の取付部１１ｄが開口部２３ａから突出して器具本体３１のシャーシ３１ａに接触されている。この状態でシャーシに予め形成されている挿通孔３１ｂとアース端子１１のねじ挿通孔１１ｅおよび支持台１２のねじ取付孔１２ａの軸心が一致する。
【００４０】
そして、アースねじ１３をシャーシ３１ａの挿通孔３１ｂからアース端子のねじ挿通孔１１ｅに挿入し、タッピングねじの作用でねじ挿通孔１１ｅのねじ代１１ｅ１の内面にねじを切りながらねじ込み、さらに、タッピングねじを締め付けてタッピングねじの先端を支持台１２のねじ取付孔１２ａにねじを切りながらねじ込む。
【００４１】
これにより、支持台１２すなわち端子台２０が器具本体３１のシャーシ３１ａ側に引き寄せられ、アース端子１１の取付部１１ｄの表面がシャーシ３１ａに食い込むようにして接触する。また、同時にシャーシ３１ａがアースねじ１３とアース端子の取付板１１ｄとの間に挟持され、アースねじ１３を介して電気的な接触がなされると共に、端子台２０が器具本体３１に取り付けられる。
【００４２】
この際、タッピングねじは、金属からなるねじ挿通孔１１ｅのねじ代１１ｅ１の内面にねじを切りながらねじ込み込むために、切り粉が生じる。この切り粉は、ねじ挿通孔１１ｅから空間部ｐに落下する。空間部ｐはリング状の凸状部１２ｂと取付板１１ｄの裏面で塞がれ、突出部であるねじ代１１ｅ１と凸状部１２ｂとがオーバーラップするので、外に飛散し移動することなく空間部ｐ内に収容される。
【００４３】
因みに、凸状部がなく空間部が形成されない場合には、図４（ｄ）に示すように切り粉ｋが端子台本体２１内に飛散して移動し、アース端子１１に近接し隣接して収容された３個の電源端子１４間に付着して異極間の絶縁低下が発生し万一の場合には短絡現象が発生する虞がある。
【００４４】
また、空間部ｐの底面と取付板１１ｄのねじ代１１ｅ１の下端との間に隙間ｓが形成されているので、切り粉はこの隙間ｓから確実に空間部ｐ内に落下して収納される。因みに、凸状部１２ｂの高さ寸法ａがねじ代の高さ寸法ｂと等しいか小さい場合（ａ≦ｂ）、図２（ｂ）に示されるように取付板１１ｄの裏面と凸状部１２ｂの上端との間に隙間ｔが形成され、この隙間から外に切り粉が飛散し移動してしまう。
【００４５】
また、アース端子１１の略正方形をなす取付板１１ｄの裏面が、リング状をなす凸状部１２ｂに載置される状態で、アースねじ１３のねじ込みが行われるので、取付板１１ｄが傾くことなく凸状部１２ｂにより器具本体３１のシャーシ３１ａ側に引き寄せられ、取付部１１ｄがシャーシ３１ａに接触し取付けられる。
【００４６】
上記により器具本体３１に取り付けられ、アース端子１１が器具本体に接続された端子台２０には、点灯装置から配線孔３７を介して引き出されている内部配線Ｗ３を、端子台２０の電線挿入孔２２ｃから挿入して電源端子１４にそれぞれ接続して器具本体内の配線を行う。次に、上記により内部配線され完成された照明器具３０を天井等に設置し、外部電線であるアース線Ｗ１および電源線Ｗ２を、それぞれ電線挿入孔２２ａ、２２ｂから挿入して、アース端子１１および電源端子１４接続して照明器具３０と電源およびアースとを接続する。
【００４７】
以上、本実施例によれば、アース端子１１のアースねじ１３をタッピングねじで構成し、このタッピングねじを金属からなるねじ挿通孔１１ｅにねじを切りながらねじ込みことにより生じる切り粉は、外に飛散し移動することなく、リング状の凸状部１２ｂとアース端子の取付板１１ｄの裏面で塞がれ、突出部であるねじ代１１ｅ１と凸状部１２ｂとがオーバーラップする空間部ｐ内に収容することができ、切り粉の飛散移動を防止することが可能なアース端子のねじ取付装置１０が提供される。
【００４８】
これによって、切り粉が端子台本体２１内に飛散移動することが防止されて端子台本体内の電源端子１４、すなわち、端子台本体内の充電部に付着することがなく、充電部の異極間における絶縁低下を防ぐことができる端子台２０が構成され、この端子台を用いることにより絶縁低下の虞を防止した安全な照明器具３０を提供することができる。特に、上記のように、切り粉の飛散移動を防止できることから、充電部となる端子の異極間の絶縁距離を大きくする必要がなくなり、端子台２０の小形化を達成することが可能となる。
【００４９】
また、空間部ｐの底面とアース端子の取付板１１ｄのねじ代１１ｅ１の下端との間に隙間ｓが形成されているので、切り粉は確実に空間部ｐ内に落下して収納され外へ漏れることがないので、端子台本体２１内等への切り粉の飛散移動を確実に防止することができる。
【００５０】
また、支持台１２の凸状部１２ｂは、上記のように、切り粉を収納するための空間部ｐを形成する作用を有すると共に、アース端子の略正方形をなす取付板１１ｄを傾きがなく載置する作用を兼ねており、取付板が傾くことなく照明器具３０のシャーシ３１ａに確実に面接触させて確実にアースをとることができる。
【００５１】
以上、本実施例において、アースねじ１３をタッピングねじで構成したが、図６に示すように、予め雄ねじ１３ａを形成したねじを用いて構成してもよい。この場合、アース端子１１のねじ挿通孔１１ｅおよび支持台１２のねじ取付孔１２ａには、アースねじをねじ込むことが可能な雌ねじ１２ａ１を形成する。この場合は主として、アースねじを斜めに入れて無理にねじ込んで切り粉が発生した場合に、切り粉の飛散移動を防止することができる。この場合、支持台１２のねじ取付孔１２ａは、黄銅等の金属で構成した雌ねじ部を、支持台１２の樹脂成形時に一体に埋め込んで構成してもよい。これによれば、アースねじのねじ込みを確実に行うことができ、確実なアースをとることができると共に端子台２０を確実かつ強固に照明器具３０に支持することができる。
【００５２】
また同図に示すように、アースねじ１３の頭部の裏面に三角錐形状の複数個の突起１３ｂを形成し、アースねじをねじ込んだ際に、突起１３ｂがシャーシ３１ａに食い込んで接触するようにして、より確実な電気接続が行えるようにしてもよい。
【００５３】
なお、変形例を示す図６には、図１〜図５と同一部分に同一の符号を付し詳細な説明は省略した。以上、本発明の好適な実施形態を説明したが、本発明は上述の実施例に限定されることなく、例えば、電気機器のねじ取付装置に適用することもでき、本発明の要旨を逸脱しない範囲内において、種々の設計変更を行うことができる。
【符号の説明】
【００５４】
１０  ねじ取付装置
１１  被取付部材（アース端子）
１１ｅ  ねじ挿通孔
１２  支持部材（支持台）
１２ａ  ねじ取付孔
１２ｂ  凸状部
１３  ねじ（アースねじ）
１４  電源端子
２０  端子台
２１  端子台本体
３０  照明器具
３１  器具本体
【図１】
2010244691.tif 000003
【図２】
2010244691.tif 000004
【図３】
2010244691.tif 000005
【図４】
2010244691.tif 000006
【図５】
2010244691.tif 000007
【図６】
2010244691.tif 000008